【事件の表示】
　特願２０１２−２１２７８５「電子機器、制御方法、及び制御プログラム」拒絶査定不服審判事件〔平成２６年　４月１７日出願公開、特開２０１４−　６７２６６〕について、次のとおり審決する。
【結　論】
　本件審判の請求は、成り立たない。
【理　由】
第１　手続の経緯
　本願は，平成２４年９月２６日の出願であって，平成２７年５月２６日付けで拒絶理由通知がなされ，同年７月１日に手続補正がなされたが，同年８月２４日付けで拒絶査定がなされ，これに対し，同年１１月２７日に拒絶査定不服審判請求がなされるとともに手続補正がなされ，当審において，平成２８年８月２６日付けで拒絶理由通知（最後）がなされ，同年１０月２６日に手続補正がなされたものである。
第２　平成２８年１０月２６日付け手続補正の補正却下の決定について
　
［補正却下の決定の結論］
　　平成２８年１０月２６日付けの手続補正を却下する。
　
［理由］
１．　手続補正の内容
　上記手続補正（以下，「本件補正」という。）により，特許請求の範囲は次のように補正された（下線は，審判請求人が付与したものである。）。
＜本件補正前の特許請求の範囲＞
「【請求項１】
　カメラと，
　前記カメラにより撮影された画像のデータを同一のフォルダに記憶するストレージと，
　前記カメラにより画像を撮影する前に，撮影する画像のグループの指定の受け付けを行い，前記カメラにより画像を撮影した後に，撮影した画像を前記グループに紐付けて前記フォルダに格納するコントローラとを有する電子機器。
　　【請求項２】
　前記画像のファイル一覧を表示するディスプレイをさらに有し，
　前記コントローラは，前記ストレージのフォルダに記憶されている前記画像のファイル一覧を表示する前記ディスプレイ上で，前記グループの設定または設定解除の操作をユーザから受け付ける請求項１に記載の電子機器。
　　【請求項３】
　カメラと，
　前記カメラにより撮影された画像のデータを同一のフォルダに記憶するストレージとを有する電子機器を制御する制御方法であって，
　前記カメラにより画像を撮影する前に，撮影する画像のグループの指定を受け付けるステップと，
　前記グループに紐付けて前記画像のデータを前記ストレージのフォルダに格納するステップとを含む制御方法。
　　【請求項４】
　カメラと，
　前記カメラにより撮影された画像のデータを同一のフォルダに記憶するストレージとを有する電子機器に，
　前記カメラにより画像を撮影する前に，撮影する画像のグループの指定を受け付けるステップと，
　前記グループに紐付けて前記画像のデータを前記ストレージのフォルダに格納するステップとを実行させる制御プログラム。」
＜本件補正後の特許請求の範囲＞
「【請求項１】
　カメラと，
　前記カメラにより撮影された画像のデータを同一のフォルダに記憶するストレージと，
　前記カメラにより画像を撮影する前に，撮影する画像のグループの指定の受け付けを行い，前記カメラにより画像を撮影した後に，
コメントを入力して挿入した
　　【請求項２】
　前記画像のファイル一覧を表示するディスプレイをさらに有し，
　前記コントローラは，前記ストレージのフォルダに記憶されている前記画像のファイル一覧を表示する前記ディスプレイ上で，前記グループの設定または設定解除の操作をユーザから受け付ける請求項１に記載の電子機器。
　　【請求項３】
　カメラと，
　前記カメラにより撮影された画像のデータを同一のフォルダに記憶するストレージとを有する電子機器を制御する制御方法であって，
　前記カメラにより画像を撮影する前に，撮影する画像のグループの指定を受け付けるステップと，
　前記グループに紐付けて
コメントを入力して挿入した
　　【請求項４】
　カメラと，
　前記カメラにより撮影された画像のデータを同一のフォルダに記憶するストレージとを有する電子機器に，
　前記カメラにより画像を撮影する前に，撮影する画像のグループの指定を受け付けるステップと，
　前記グループに紐付けて
コメントを入力して挿入した
２．　独立特許要件について
　本件補正は，拒絶理由通知（最後）に係る指定期間内にする補正であることから，特許法第１７条の２第１項第３号に掲げる場合（最後に受けた拒絶理由通知に係る指定期間内にするとき）の補正に該当する。
　さらに，本件補正は，請求項１において，「撮影した画像」を「コメントを入力して挿入した撮影した画像」に限定し，請求項３，４において，「前記画像のデータ」を「コメントを入力して挿入した前記画像のデータ」に限定するものであるから，同条第５項第２号に掲げる特許請求の範囲の減縮を目的とする。
　そこで，本件補正後の請求項１に記載された発明（以下，「補正発明」という。）が特許出願の際独立して特許を受けることができるか，すなわち，同条第６項において準用する同法第１２６条第７項の規定を満たすものであるかについて検討する。
　
（１）　引用文献
（１−１）　特開２００８−５３４４号公報
　当審の拒絶理由通知において引用された特開２００８−５３４４号公報（以下，「引用文献１」という。）には，次の事項が記載されている（下線は，当審において付与した。）。
ア．「【００４０】
　図３は，本実施形態の
デジタルカメラ２０
【００４１】
　図３において，
撮影システム２０１
【００４２】
　
ＵＩ管理システム２０２は，デジタルカメラ本体のＵＩを制御するためのもので，液晶画面２０９での表示内容の管理，また，操作ボタン２１０からの入力を管理する
【００４３】
　
ファイル管理システム２０３は
メモリーカード２０８へのアクセスを管理する
撮影システム２０１で生成された画像データはファイルとしてＳＤカードに格納される
デジタルカメラ２０では，ＤＣＦ(Design Rule for Camera File System)規格に準じたフォルダ構成，ファイルフォーマットで画像データをＳＤカードに記録する
【００４４】
　通信管理システム２０４は，ＵＳＢインターフェース２０５を介してＰＣ本体１０との通信を行う。
【００４５】
　
タグ付け管理システム２２１は，本実施形態による画像ファイルへのタグ情報の付加に関する一連の処理を行う
【００４６】
　不揮発性ＲＯＭ２１１は，デジタルカメラ２０の動作等を制御するための各種パラメータ等を格納する。本実施形態では，タグ付け管理システム２２１の管理情報もこのＲＯＭ２１１に格納される。また，ＵＩ管理システム２０２で必要となるフォントデータもこの
ＲＯＭ２１１に格納される。
【００４７】
　
上記各システム２０１から２０４，２２１，不揮発性ＲＯＭ２１１，操作ボタン２１０液晶画面２０９，メモリーカード２０８，ＵＳＢインターフェース２０５は中央制御制御システム２００により統括して制御される
イ．「【００４９】
　
ユーザは，デジタルカメラ２０で画像を撮影する前に
タグ付けメニュー画面２０９０を介して撮影画像に付加するタグ情報を指定，選択する
【００５０】
　図４では，☆  Starタグ２０９１が選択された状態を示している。所望のタグを選択している状態で，セットボタン２１０４を押すことにより，画像ファイルに付加されるタグ情報が決定される。
その後，撮影可能状態に戻り，撮影を行って生成された画像ファイルには，上記のように選択したタグ情報が付加される
【００５１】
　図５は，タグ情報が付加された画像ファイルをデジタルカメラの液晶画面２０９で再生したときの画面を例示している。
【００５２】
　本実施形態のデジタルカメラ２０では，
各タグ情報５００１〜５００４に応じて再生する画像を選別できる再生モード（PLAY）を備えている
ウ．「【００７８】
　図１１は，本実施形態のデジタルカメラによるタグ付け処理を示すフローチャートである。
【００７９】
　図１１において，Ｓ１１では，
撮影システム２０１が撮影を行い，画像データが生成される
【００８０】
　次に，Ｓ１２では，画像ファイルを構成するヘッダー情報，具体的には，図１０に示す画像ファイルにおける１００２の部分を生成する。
【００８１】
　次に，Ｓ１３では，タグ付け管理システム２２１は，図４のタグ付けメニューによりタグ付けが設定されているか判定する。タグ付け管理システム２２１では，不揮発性ＲＯＭ２１１に格納されたタグデータ管理テーブル７０の現在の設定７４をチェックし，Ｔｒｕｅのがあるか判定する。そして，タグ付けが設定されている場合には，Ｓ１４に移行し，設定されていない場合には，Ｓ１５に移行する。
【００８２】
　Ｓ１４では，画像ファイル内のＭａｋｅｒＮｏｔｅ領域１００３に，タグ付け管理テーブル７０の現在の設定７４で指定されているタグデータを設定する。・・・（中略）・・・
【００８３】
　Ｓ１５では，上記のように
タグ情報が設定されたヘッダー情報を画像ファイルに付加してメモリーカードに格納する
　前記ア．〜ウ．及び関連する図の記載によれば，引用文献１には次の発明（以下，「引用発明」という。）が記載されている。
　
＜引用発明＞ 
「撮影システム２０１と， 
　デジタルカメラ本体のＵＩを制御し，液晶画面２０９での表示内容の管理，また，操作ボタン２１０からの入力を管理するＵＩ管理システム２０２と，
　撮影システム２０１で生成された画像データを，ＤＣＦ(Design Rule for Camera File System)規格に準じたフォルダ構成，ファイルフォーマットでメモリーカードに記録するファイル管理システム２０３と，
　画像ファイルへのタグ情報の付加に関する一連の処理を行うタグ付け管理システム２２１と，
　前記各システム，操作ボタン，液晶画面，メモリーカードを統括して制御する中央制御システム２００とを有し，
　デジタルカメラ２０で画像を撮影する前に，タグ付けメニュー画面２０９０を介して撮影画像に付加するタグ情報を指定，選択し，
　その後，撮影を行って生成された画像ファイルに，選択したタグ情報を付加して，メモリーカードに格納し，
　各タグ情報に応じて再生する画像を選別できる再生モードを備えた，デジタルカメラ２０。」
　
（２−２）　特開２００２−３００５１３号公報
　当審において新たに引用する特開２００２−３００５１３号公報（以下，「引用文献２」という。）には，次の事項が記載されている（下線は，当審において付与した。）。
エ．「【０００１】
【発明の属する技術分野】本発明は，
撮影した画像に所望のコメントを付加することのできる電子カメラ
オ．「【０００３】
【発明が解決しようとする課題】ところで，撮影時の感想や撮影情報（だれと一緒に行ったか，どこへ行ったか，エピソード）などのコメントを，被写体を撮影したときに撮影画像とともに記録できれば，その画像を再生した時に撮影当時の風景や状況などの記憶をより鮮明に蘇らせることが可能となるので望ましい。
【０００４】従来の画像処理装置にあっては，記録媒体に記録されたすべてのコマの画像に，撮影画像を記録した後の編集作業でコメントを添付するものであるため，撮影時に抱いた感想や詳細な撮影情報を添付することは難しい。特に，撮影時から編集時までに時間が空いていると，撮影時の感想等を思い出すことは困難で，添付される情報は撮影直後に添付したものと異なることが多い。
・・・（中略）・・・
【０００７】本発明は，上記に鑑みてなされたもので，各コマの撮影時に当該コマの撮影画像に関する情報を，撮影画像とともに記録することのできる電子カメラを提供することを目的とする。」
カ．「【００２４】以上の構成に加えて，上述したように，本実施形態に係るデジタルカメラ１は，撮影者の希望により，各コマの撮影時に，撮影画像に対する種々の文字情報を入力することができるようになっている。デジタルカメラ１は，撮影画像データをメモリカード２０に記録する前にコメントを付加するか否かを撮影者に選択させ，コメントの付加が撮影者により選択されると，文字情報を入力するためのモード（以下，コメント付加モードという）となり，このモードにおいて所望の文字情報が入力されると，この文字情報を撮影画像データとともにメモリカード２０に記録するように構成している。
【００２５】
シャッターボタン５を全押ししてレリーズを行うと，図３に示すように，画面左側に撮影画像Ｇが，画面右側にこの撮影画像Ｇの取り扱いについて撮影者に選択させる複数の項目キーＫがそれぞれ表示された画面（以下，この画面をメニュー画面という）がＬＣＤ表示部６０に表示される。この時点では，撮影画像Ｇの画像データはメモリカード２０に記録されておらず
メモリカード２０へ撮影画像データを記録するか否か，メモリカード２０へ撮影画像データを記録する場合にはコメントをその撮影画像に付加するか否かを撮影者に選択させ
キ．「【００２７】
このメニュー画面で「写しこみ」キーＫ２が選択されると，デジタルカメラ１はコメント付加モードとなり，ＬＣＤ表示部６０には図４に示すコメント入力画面が表示される
ク．「【００３２】
コメント入力画面においてコメント入力が完了すると，ＬＣＤ表示部６０には，図５の矢印Ｐで示すように，入力したコメントが例えば撮影画像の下側の位置に各キャラクタを横方向に並べて合成された合成画像Ｇ’が，当該画像Ｇ’のメモリカードＭへの記録処理が完了するまでの間，表示される
ケ．「【００７０】次に，本発明の第２の実施形態について説明する。
【００７１】本実施形態においては，
キャラクタデータの記録方式が上記第１実施形態と異なり，それ以外の部分については第１の実施形態と略同様である
・・・（中略）・・・
【００７３】図１１に示すように，第１の実施形態においては，メモリカード２０にｎコマの画像ファイルが記録されているものとすると，各コマの画像ファイルには，キャラクタデータと撮影画像データとが合成された一の画像データとタグデータとが存在する。一方，
第２の実施形態においては，このようにキャラクタデータと撮影画像データとを一の画像データに合成してメモリカード２０に記録するのではなく，図１２に示すように，撮影画像データとキャラクタデータとを相互に独立したデータとして扱い，上記両データを互いに関連付けた状態でそれらを一つのファイルとしてまとめて記録するようにしている
　
　前記エ．〜ケ．及び関連する図の記載によれば，引用文献２には，第２の実施形態に係る電子カメラとして，次の発明が記載されている。
＜引用文献２記載の発明＞
「撮影した画像に所望のコメントを付加することのできる電子カメラであって，
　シャッターボタン５を全押ししてレリーズを行うと，撮影画像Ｇと，この撮影画像Ｇの取り扱いについて選択させるメニュー画面を表示し，
　この時点では，撮影画像Ｇの画像データはメモリカード２０に記録されておらず，メモリカード２０へ撮影画像データを記録するか否か，メモリカード２０へ撮影画像データを記録する場合にはコメントをその撮影画像に付加するか否かを撮影者に選択させ，
　コメントを撮影画像に付加することが選択されると，コメント入力画面を表示し，
　コメント入力画面においてコメント入力が完了すると，撮影画像データとコメントとを相互に独立したデータとして扱い，上記両データを互いに関連付けた状態でそれらを一つのファイルとしてまとめてメモリーカードに記録する，電子カメラ。」
（２）　対比
　次に，補正発明と引用発明とを対比する。
・補正発明の「カメラ」について検討する。
　本願明細書には，「カメラ」について次の事項が記載されている（下線は，当審において付与した）。
「【００１１】
  図１に示すように，スマートフォン１は，ディスプレイ２と，ボタン３と，照度センサ４と，近接センサ５と，通信ユニット６と，レシーバ７と，マイク８と，ストレージ９と，コントローラ１０と，スピーカ１１と，
カメラ１２
「【００３３】
  
カメラ１２は，撮影した画像を電気信号へ変換する
　上記記載によれば，「カメラ」は，撮影した画像を電気信号へ変換する構成部分を指し，コントローラ１０やディスプレイ２，ボタン３などは「カメラ」に含まれない。
　そうすると，引用発明は，「撮影システム２０１」，「中央制御システム２００」，「液晶画面２０９」，「操作ボタン２１０」などを備えた「デジタルカメラ２０」であるものの，そのうち，「撮影システム２０１」が，補正発明の「カメラ」に相当するといえる。
　
・引用発明の「メモリーカード」は，撮影システムで生成された画像データを，ＤＣＦ規格に準じたフォルダ構成で記録する。
　したがって，引用発明の上記「メモリーカード」と，補正発明の「前記カメラにより撮影された画像のデータを同一のフォルダに記憶するストレージ」は，「前記カメラにより撮影された画像のデータをフォルダに記憶するストレージ」の点で共通する。
・引用発明のタグ情報は，再生する画像の選別に使用されるから，画像をグループ化する情報である。したがって，タグ情報を指定・選択することは，グループの指定にほかならない。
　よって，引用発明の「デジタルカメラ２０で画像を撮影する前に，タグ付けメニュー画面２０９０を介して撮影画像に付加するタグ情報を指定，選択し」は，補正発明の「前記カメラにより画像を撮影する前に，撮影する画像のグループの指定の受け付けを行い」に相当する。
 ・引用発明の「その後，撮影を行って生成された画像ファイルに，選択したタグ情報を付加して，メモリーカードに格納し」は，タグ情報を付加することで撮影した画像をグループに紐付け，ＤＣＦ規格に準じたフォルダに格納することといえる。
　したがって，引用発明の上記構成と，補正発明の「前記カメラにより画像を撮影した後に，コメントを入力して挿入した撮影した画像を前記グループに紐付けて前記フォルダに格納する」は，「前記カメラにより画像を撮影した後に，撮影した画像を前記グループに紐付けて前記フォルダに格納する」の点で共通する。
・引用発明においては，「前記カメラにより画像を撮影する前に，撮影する画像のグループの指定の受け付けを行い」の動作，及び，「前記カメラにより画像を撮影した後に，撮影した画像を前記グループに紐付けて前記フォルダに格納する」の動作を，「デジタルカメラ本体のＵＩを制御し，液晶画面２０９での表示内容の管理，また，操作ボタン２１０からの入力を管理するＵＩ管理システム２０２と，
　撮影システム２０１で生成された画像データを，ＤＣＦ(Design Rule for Camera File System)規格に準じたフォルダ構成，ファイルフォーマットでメモリーカードに記録するファイル管理システム２０３と，
　画像ファイルへのタグ情報の付加に関する一連の処理を行うタグ付け管理システム２２１と，
　前記各システム，操作ボタン，液晶画面，メモリーカードを統括して制御する中央制御システム２００」において行うから，これらの構成は，全体として，上記動作を行うためのコントローラといえる。
　したがって，引用発明の上記構成と，補正発明の「前記カメラにより画像を撮影する前に，撮影する画像のグループの指定の受け付けを行い，前記カメラにより画像を撮影した後に，コメントを入力して挿入した撮影した画像を前記グループに紐付けて前記フォルダに格納するコントローラ」は，「前記カメラにより画像を撮影する前に，撮影する画像のグループの指定の受け付けを行い，前記カメラにより画像を撮影した後に，撮影した画像を前記グループに紐付けて前記フォルダに格納するコントローラ」の点で共通する。
　
・引用発明の「デジタルカメラ」と「メモリーカード」は，全体として補正発明の「電子機器」に相当する。
　したがって，補正発明と引用発明は，次の点で一致及び相違する。
＜一致点＞
「カメラと，
　前記カメラにより撮影された画像のデータをフォルダに記憶するストレージと，
　前記カメラにより画像を撮影する前に，撮影する画像のグループの指定の受け付けを行い，前記カメラにより画像を撮影した後に，撮影した画像を前記グループに紐付けて前記フォルダに格納するコントローラとを有する電子機器。」
＜相違点１＞
　「フォルダ」が，補正発明では，「同一のフォルダ」であるのに対し，引用発明では「同一」であるか否か不明である点。
＜相違点２＞
　「撮影した画像」が，補正発明では「コメントを入力して挿入した」ものであるのに対し，引用発明では，「コメントを入力して挿入した」ものではない点。
（３）　判断
＜相違点１＞について
　
　引用発明は，ＤＣＦ規格に準じたフォルダに画像データを格納するが，このＤＣＦ規格において，撮影された複数の画像データが，４桁の連番数字を含んだファイル名で，同一のＤＣＦディレクトリ（フォルダ）に格納されることは周知である。 
　してみると，引用発明において，ＤＣＦ規格の周知事項に基づき，カメラにより撮影された画像のデータを同一のフォルダに記憶することは，容易に想到し得ることである。
＜相違点２＞について
　補正発明の「コメントを入力して挿入した撮影した画像」について，本願明細書には次の事項が記載されている。
「【００２７】
  ・・・（中略）・・・
画像のデータには，コメントのデータが挿入される場合がある。コメントのデータは，テキストデータとして，画像のデータに関連付けられる
「【００４６】
  図３に示すように，スマートフォン１は，タッチスクリーン２１を介して，画面５０の撮影ボタン５０ａに対する操作を検出すると（ステップＳ２１），カメラ１２により撮影された画像のデータを取得し，
画像に挿入するコメント
【００４７】
  続いて，スマートフォン１は，コメント入力ウィンドウ５０ｅに入力された文字が確定されると（ステップＳ２３），選択中のグループ（例えば，旅行）に紐付けて，
取得した画像のデータ，及び入力されたコメントを画像フォルダ９Ｂに格納し
　上記記載によれば，スマートフォンは，画像を撮影した後にコメント入力ウィンドウを表示し，コメント入力ウィンドウに入力された文字をテキストデータとして撮影した画像に関連付け，このコメントデータと画像データとを画像フォルダに格納する。
　したがって，補正発明の「コメントを入力して挿入した撮影した画像」は，コメント入力のための画面を介して入力されたコメントが関連付けられた「撮影した画像」を含む。
　一方，引用文献２には，「従来の画像処理装置にあっては，記録媒体に記録されたすべてのコマの画像に，撮影画像を記録した後の編集作業でコメントを添付するものであるため，撮影時に抱いた感想や詳細な撮影情報を添付することは難しい。特に，撮影時から編集時までに時間が空いていると，撮影時の感想等を思い出すことは困難で，添付される情報は撮影直後に添付したものと異なることが多い。」（前記３．（２−２）オ．参照）という課題を解決するための電子カメラが記載されている。
　この電子カメラは，「シャッターボタン５を全押ししてレリーズを行うと，撮影画像Ｇと，この撮影画像Ｇの取り扱いについて選択させるメニュー画面」を表示し，そのメニュー画面において「コメントを撮影画像に付加することが選択されると，コメント入力画面を表示し，コメント入力画面においてコメント入力が完了すると，撮影画像データとコメントとを相互に独立したデータとして扱い，上記両データを互いに関連付けた状態でそれらを一つのファイルとしてまとめてメモリーカードに記録する」ものである。
　撮影時に抱いた感想や詳細な撮影情報を添付できるようにするために，引用発明に，引用文献２に記載されたコメントの記録機能を付加して，画像を撮影した後に，コメント入力画面を表示し，入力されたコメントを撮影した画像に関連付け，このコメントとタグ情報と画像データとを同一のフォルダに格納することは格別困難ではない。
　してみると，引用発明において，撮影時に抱いた感想や詳細な撮影情報を添付できるように，引用文献２に記載されたコメントの記録機能を付加し，相違点２に係る補正発明の構成を備えるようにすることは容易に想到し得ることである。
　
　そして，補正発明の作用効果も，引用発明，引用文献２記載の発明，及び，周知技術から当業者が予測できる範囲のものである。
　したがって，補正発明は，引用発明，引用文献２記載の発明，及び，周知技術に基づいて当業者が容易に発明できたものであり，特許法第２９条第２項の規定により，特許出願の際独立して特許を受けることができないものである。
３．　補正却下の決定のまとめ
　
　以上のとおり，補正発明は，特許出願の際独立して特許を受けることができないものであるから，本件補正は，特許法第１７条の２第６項において準用する特許法第１２６条第７項の規定に適合していない。
　したがって，本件補正は，特許法第１５９条第１項において読み替えて準用する同法第５３条第１項の規定により却下すべきものである。
第３　本願発明について
　
１．　本願発明
　
　本件補正は上記のとおり却下されたので，本願の請求項１に係る発明（以下，「本願発明」という。）は，平成２７年１１月２７日の手続補正により補正された特許請求の範囲の請求項１に記載されたとおりのものである。
＜本願発明＞
　「カメラと，
　前記カメラにより撮影された画像のデータを同一のフォルダに記憶するストレージと，
　前記カメラにより画像を撮影する前に，撮影する画像のグループの指定の受け付けを行い，前記カメラにより画像を撮影した後に，撮影した画像を前記グループに紐付けて前記フォルダに格納するコントローラとを有する電子機器。」
２．引用発明
　
　引用発明は，「第２　平成２８年１０月２６日付け手続補正の補正却下の決定について」の「２．」「（１）」「（１−１）　特開２００８−５３４４号公報」において「引用発明」として認定したとおりである。
　
３．対比・判断
　
　本願発明は，上記補正発明から，「撮影した画像」について「コメントを入力して挿入した」の限定を除いたものである。
　したがって，本願発明と引用発明との一致点は，補正発明と引用発明との前記一致点と同じであり，本願発明と引用発明との相違点は，補正発明と引用発明との相違点１のみである。
　
＜一致点＞
「カメラと，
　前記カメラにより撮影された画像のデータをフォルダに記憶するストレージと，
　前記カメラにより画像を撮影する前に，撮影する画像のグループの指定の受け付けを行い，前記カメラにより画像を撮影した後に，撮影した画像を前記グループに紐付けて前記フォルダに格納するコントローラとを有する電子機器。」
＜相違点＞
　「フォルダ」が，補正発明では，「同一のフォルダ」であるのに対し，引用発明では「同一」であるか否か不明である点。
　
　上記相違点については，補正発明と引用発明との相違点１について検討したとおりであり，引用発明は，ＤＣＦ規格に準じたフォルダに画像データを格納するが，このＤＣＦ規格において，撮影された複数の画像データが，４桁の連番数字を含んだファイル名で，同一のＤＣＦディレクトリ（フォルダ）に格納されることは周知であり，引用発明において，ＤＣＦ規格の周知事項に基づき，カメラにより撮影された画像のデータを同一のフォルダに記憶することは，容易に想到し得ることである。
　そして，本願発明の作用効果も，引用発明，及び，周知技術から当業者が予測できる範囲のものである。
　よって，本願発明は，引用発明，及び，周知技術に基づいて当業者が容易に発明をすることができたものである。
４．むすび
　
　以上のとおり，本願発明は，引用発明，及び，周知技術に基づいて当業者が容易に発明をすることができたものであるから，特許法第２９条第２項の規定により，特許を受けることができない。
　したがって，他の請求項について検討するまでもなく，本願は拒絶されるべきものである。
　よって，結論のとおり審決する。